(57)【要約】【課題】既存のカッターナイフ刃を使用し、かつ刃の露出を極力なくし安全で、かつ刃のみの交換も可能にし、包装、薄膜、特にプラスチックフィルムの切断に適したカッターを提供する。【解決手段】本発明は、上記課題を解決するため、内部空洞で長手方向に線状溝が設けられ内部の二側壁に長手方向に凸条を設け前記線状溝で分断された一方には先端に向けテーパーとなる先端部を有するケースと、前記凸条が嵌るガイド溝を有する肉薄部、前記線状溝の形状をした前記肉薄部より突出した肉厚部、端部に先端に向けテーパー状の先端部、及び内部にスペースを備え、前記ガイド溝が前記凸条に沿ってスライドして前記ケース内に着脱可能に収納されるホルダーと、前記ホルダーのスペースに着脱可能に収納される刃とからなることを特徴とするカッターとした。【選択図】図１
2016097973.tif 000002
【特許請求の範囲】
【請求項１】
内部空洞で長手方向に線状溝が設けられ内部の二側壁に長手方向に凸条を設け前記線状溝で分断された一方には先端に向けテーパーとなる先端部を有するケースと、
前記凸条が嵌るガイド溝を有する肉薄部、前記線状溝の形状をした前記肉薄部より突出した肉厚部、端部に先端に向けテーパー状の先端部、及び内部にスペースを備え、前記ガイド溝が前記凸条に沿ってスライドして前記ケース内に着脱可能に収納されるホルダーと、
前記ホルダーのスペースに着脱可能に収納される刃と、
からなり、
前記刃が前記ケースの二側壁と空間をあけ配置されるとともに、前記ケースの先端部と前記ホルターの先端部との間はＶ字スペースとなり、前記Ｖ字スペースに連設する前記ケースと前記肉厚部の間には指が入ることのない隙間を有して被切断物の取り込み口となり、
前記ホルダーと前記刃で構成される刃部が被切断物の下側に位置して被切断物に向かって移動させられることで被切断物を切断することを特徴とする
カッター。
【請求項２】
前記刃の末端部に穴が穿設され、前記穴が露出するように端部に切欠を設けたことを特徴とする請求項１に記載のカッター。
【請求項３】
前記肉厚部の前記隙間側に被切断物を外側に広げるテンションガイドとなる切込を複数設けたことを特徴とする請求項１又は請求項２に記載のカッター。
【請求項４】
端部が開口し内部空洞で長手方向に斜めに線状溝が設けられ、前記線状溝に連設する外部にＶ字スペースを有するケースと、
前記内部空洞に前記開口から挿入され、前記ケースの二側壁と空間をあけ配置されるとともに前記線状溝の一部に刃先が露出した刃と、
内部空洞で前記開口を封止するキャップとからなることを特徴とするカッター。
【請求項５】
前記刃の先端部はケース内のスペースに係止され、末端部は前記ケースから突出し、前記キャップに当接することで前記ケース内に位置固定されることを特徴とする請求項４に記載のカッター。
【請求項６】
前記線状溝の末端部が、刃が位置する側に屈曲させた屈曲部を備えることを特徴とする請求項１〜請求項５の何れか１項に記載の
カッター。
【発明の詳細な説明】
【技術分野】
【０００１】
本発明は、刃の露出を極力なくし、安全で、かつ刃のみの交換も可能にした、包装、薄膜、特に、プラスチックフィルムなどの切断に好適なカッターに関する。
【背景技術】
【０００２】
フィルムカッターとして、特許文献１などが公開されている。特許文献１の包装フィルムカッターは、キャラメル包装、シュリンク包装その他種々の形態の包装をより簡便に開封できるものであって、被包装物に密着若しくは略密着して該被包装物を包装しているフィルムを切開して脱離させるために用いることができる包装フィルムカッターを、基部１１と、前記基部１１の側縁に臨み被包装物とフィルムとの間に差し入れることができる突出部１２と、前記基部１１と前記突出部１２とがなす間隙に設けたフィルムを切開する刃２とを具備してなる。
【０００３】
しかしながら、従来のフィルムカッターは、特殊な形状の刃が剥き出しで危険であり、また刃の交換ができず、切れが悪くなった場合には、本体ごと交換するほかなく、ランニングコストが高いものでかった。
【先行技術文献】
【特許文献】
【０００４】
【特許文献１】特表２００４−３５０８７号公報
【発明の概要】
【発明が解決しようとする課題】
【０００５】
そこで、本発明は、既存のカッターナイフ刃を使用し、かつ刃の露出を極力なくし安全で、かつ刃のみの交換も可能にし、包装、薄膜、特にプラスチックフィルムの切断に適したカッターを提供することを目的とする。
【課題を解決するための手段】
【０００６】
本発明は、上記の課題を解決するために、
（１）
内部空洞で長手方向に線状溝が設けられ内部の二側壁に長手方向に凸条を設け前記線状溝で分断された一方には先端に向けテーパーとなる先端部を有するケースと、
前記凸条が嵌るガイド溝を有する肉薄部、前記線状溝の形状をした前記肉薄部より突出した肉厚部、端部に先端に向けテーパー状の先端部、及び内部にスペースを備え、前記ガイド溝が前記凸条に沿ってスライドして前記ケース内に着脱可能に収納されるホルダーと、
前記ホルダーのスペースに着脱可能に収納される刃と、
からなり、
前記刃が前記ケースの二側壁と空間をあけ配置されるとともに、前記ケースの先端部と前記ホルターの先端部との間はＶ字スペースとなり、前記Ｖ字スペースに連設する前記ケースと前記肉厚部の間には指が入ることのない隙間を有して被切断物の取り込み口となり、
前記ホルダーと前記刃で構成される刃部が被切断物の下側に位置して被切断物に向かって移動させられることで被切断物を切断することを特徴とするカッター。
（２）
前記刃の末端部に穴が穿設され、前記穴が露出するように端部に切欠を設けたことを特徴とする（１）に記載のカッター。
（３）
前記肉厚部の前記隙間側に被切断物を外側に広げるテンションガイドとなる切込を複数設けたことを特徴とする（１）又は（２）に記載のカッター。
（４）
端部が開口し内部空洞で長手方向に斜めに線状溝が設けられ、前記線状溝に連設する外部にＶ字スペースを有するケースと、
前記内部空洞に前記開口から挿入され、前記ケースの二側壁と空間をあけ配置されるとともに前記線状溝の一部に刃先が露出した刃と、
内部空洞で前記開口を封止するキャップとからなることを特徴とするカッター。
（５）
前記刃の先端部はケース内のスペースに係止され、末端部は前記ケースから突出し、前記キャップに当接することで前記ケース内に位置固定されることを特徴とする（４）に記載のカッター。
（６）
前記線状溝の末端部が、刃が位置する側に屈曲させた屈曲部を備えることを特徴とする（１）〜（５）の何れかに記載のカッター。
とした。
【発明の効果】
【０００７】
本発明は、上記構成であるので、既存のカッターナイフ刃を使用し、かつ刃の露出を極力なくし安全で、かつ刃のみの交換も可能にしてランニングコストが低廉な、包装、薄膜、特に、被包装物を覆うプラスチックフィルムの切断に適したカッターを提供することができる。
【図面の簡単な説明】
【０００８】
【図１】本発明であるカッターの第一の実施形態の（Ａ）正面図、（Ｂ）左側面図、（Ｃ）右側面図、（Ｄ）平面図、（Ｅ）底面図、（Ｆ）Ａ−Ａ‘断面図である。
【図２】本発明であるカッターの第一の実施例の刃部の（Ａ）正面図、（Ｂ）左側面図、（Ｃ）右側面図、（Ｄ）平面図、（Ｅ）底面図である。
【図３】本発明であるカッターの第一の実施形態の使用状態図である。
【図４】本発明であるカッターの第二の実施形態の（Ａ）正面図、（Ｂ）左側面図、（Ｃ）右側面図、（Ｄ）平面図、（Ｅ）底面図、（Ｆ）Ａ−Ａ‘断面図である。
【図５】本発明であるカッターの第二の実施形態の使用状態図である。
【発明を実施するための形態】
【０００９】
以下、添付の図面を参照し、本発明の実施の形態について詳細に説明する。なお、本発明は、下記の実施例に限定されるものではない。
【実施例１】
【００１０】
図１から図３に示すように、本発明の第一の実施形態のカッター１は、ケース２と刃部３とからなる。刃部３は、ホルダー４と刃５とからなる。
【００１１】
ケース２は、内部空洞２ａで長手方向に線状溝２ｃが設けられ、内部の二側壁に長手方向に凸条２ｅを設け、線状溝２ｃで分断された一方には先端に向けテーパー２ｆとなる先端部２ｂを有する。また、線状溝２ｃの末端部は、刃５が位置する側に屈曲させた屈曲部２ｄを備える。屈曲部２ｄは、切断しきれなかったフィルム１０を引き付け、刃５に強く当て引きちぎるときに利用する。
【００１２】
ホルダー４は、凸条２ｅが嵌るガイド溝４ｂを有する肉薄部４ａ、線状溝２ｃの形状をした肉薄部４ａより突出した肉厚部４ｃ、端部に先端に向けテーパー４ｆを有する先端部４ｅ、及び内部にスペース４ｈを備え、ガイド溝４ｂが凸条２ｅに沿ってスライドしてケース２２内に着脱可能に収納される。肉薄部４ａはケース２の内壁に当接し、肉厚部４ｃはケースの外壁と厚みが同じになるようにする。肉薄部４ａの厚みでホルダー４をケース２内でぐらつかせない。
【００１３】
ホルダー４には、ケース２側に突出した突起４ｉを備え、ケース２の溝２ｇに嵌着して、ホルダー４とケース２を係止する。ホルダー４とケース２の係止は、その他の手段であってもよい。
【００１４】
肉厚部４ｃの上面には被切断物を外側に広げるテンションガイドとなる切込４ｄを複数設けるとよい。例えば、切込４ｄは、切込４ｄの末端が先端側より後方に位置する斜めのＶ字溝などである。
【００１５】
刃５は、ホルダー４のスペース４ｈに刃先５ａの一部を露出させて、着脱可能に収納され、ケース２の二側壁と空間１ｃをあけ位置する。刃５の先端部は肉厚部４ｃ内に埋設され末端部はホルダー４端部に位置し、ケース２に嵌められることで刃５はホルダー４内に位置固定される。
【００１６】
刃５は、市販のカッターナイフ刃を利用することができる。末端部に穴５ｂが穿設され刃５を用いる場合（図２）、穴５ｂが露出するようにホルダー４の端部に切欠４ｇを設けるとよい。穴５ｂに棒状物を係止することで、スペース４ｈから刃５を引き出し易くなり、刃５の交換が簡易になる。
【００１７】
このようにしてなるカッター１は、ケース２の先端部２ｂとホルダー４の先端部４ｅとの間が被切断部を誘導するＶ字スペース１ａとなり、Ｖ字スペース１ａに連設するケース２と肉厚部４ｃの間には指が入ることのない隙間１ｂを有して被切断物の取り込み口となる。
【００１８】
また、ホルダー４と刃５で構成される刃部３が、被切断物の下側に位置して被切断物に向かって、図３に示すように、カッター１が移動（波線矢印）させられることで、被切断物（例えば、フィルム１０）を切断する。
【００１９】
先端部２ｂ、４ｅは、フィルム１０に穴を穿設することができ、フィルム１０の端部のみならず、その穴からカッター１でフィルム１０を切断することもできる。また、刃５は、隙間１ｂ内に挿入されることで、被切断物を切断することができるため、指などを誤って切断することがなく極めて安全である。
【実施例２】
【００２０】
図４、５に示すように、本発明の第二の実施形態のカッター１１は、ケース１２と、刃５と、キャップ１３とからなる。
【００２１】
ケース１２は、端部が開口１２ｆし、内部空洞１２ａで長手方向に斜めに線状溝１２ｃが設けられ、線状溝１２ｃに連設する外部に、両先端部１２ｂ、１２ｇの間は、被切断物を誘導するＶ字スペース１１ａを有する。先端部１２ｇには、刃５を係止するスペース１２ｉが穿設されている。
【００２２】
また、線状溝１２ｃの末端部は、刃５が位置する側に屈曲させた屈曲部１２ｄを備える。屈曲部１２ｄは、切断しきれなかったフィルム１０を引き付け、刃５に強く当て引きちぎるときに利用する。
【００２３】
両先端部１２ｂ、１２ｇは、先端に向けテーパー１２ｈで、フィルム１０に穴を穿設することができ、フィルム１０の端部からでなく、その穴からカッター１１でフィルム１０を切断することに利用できる。
【００２４】
刃５は、内部空洞１２ａに開口１２ｆから挿入され、ケース１２のスペース１２ｉに先端部が挿入、係止されるとともに、ケース１２の二側壁と空間１１ｃをあけ配置され、線状溝１２ｃの一部に刃先５ａが露出する。さらに、刃５の末端部はケース１２の端部から突出し、キャップ１３を嵌めたとき、キャップ１３に当接することで、ケース１２内に位置固定される。
【００２５】
キャップ１３は、内部空洞１３ａで開口１２ｆを封止する。キャップ１３とケース１２との嵌着は、例えば、キャップ１３に設けた突起状の係止部１３ｂと、ケース１２に設けた溝１２ｅとの嵌合などでよい。
【００２６】
図５に示すように、このようにしてなるカッター１１は、ケース１２の先端部１２ｂ、１２ｇとの間が被切断部を誘導するＶ字スペース１１ａとなり、Ｖ字スペース１１ａに連設する線状溝１２ｃは指が入ることのない隙間を有して被切断物の取り込み口となる。線状溝１２ｃ内に位置する刃５で被切断物を切断することができるため、指などを誤って切断することがなく極めて安全である。
【００２７】
また、先端部１２ｇが被切断物の下側に位置して被切断物に向かって、図５に示すように、カッター１１が移動（波線矢印）させられることで、被切断物（例えば、フィルム１０）を切断する。
【符号の説明】
【００２８】
１      カッター
１ａ    Ｖ字スペース
１ｂ    隙間
１ｃ    空間
２      ケース
２ａ    空洞
２ｂ    先端部
２ｃ    線状溝
２ｄ    屈曲部
２ｅ    凸条
２ｆ    テーパー
２ｇ    溝
３      刃部
４      ホルダー
４ａ    肉薄部
４ｂ    ガイド溝
４ｃ    肉厚部
４ｄ    切込
４ｅ    先端部
４ｆ    テーパー
４ｇ    切欠
４ｈ    スペース
４ｉ    突起
５      刃
５ａ    刃先
５ｂ    穴
１０    フィルム
１１    カッター
１１ａ  Ｖ字スペース
１１ｃ  空間
１２    ケース
１２ａ  空洞
１２ｂ  先端部
１２ｃ  線状溝
１２ｄ  屈曲部
１２ｅ  溝
１２ｆ  開口
１２ｇ  先端部
１２ｈ  テーパー
１２ｉ  スペース
１３    キャップ
１３ａ  空洞
１３ｂ  係止部
【図１】
2016097973.tif 000003
【図２】
2016097973.tif 000004
【図３】
2016097973.tif 000005
【図４】
2016097973.tif 000006
【図５】
2016097973.tif 000007